(57)【要約】【課題】確実にチューブを抑え、チューブの抑え位置が移動しても流体の漏れがないピンチコックを提供する。【解決手段】リング、アーチ若しくはフックからなる受容部Ａとリング、アーチ若しくはフックからなる受容部Ｃとが、両受容部の内側が見通せるように並んで離れて遠位端側に設置された第一腕部と、リング、アーチ若しくはフックからなる受容部Ｂが遠位端側に配置された第二腕部とを有し、第一腕部と第二腕部とが近位端において弾力性を有する繋ぎ部で繋がっていて、第一腕部と第二腕部とは受容部Ａまたは受容部Ｃの内側と受容部Ｂの内側とが見通せない位置に離されていて、第一腕部と第二腕部との間を繋ぎ部の弾性変形によって狭めると受容部Ａと受容部Ｃとの間に受容部Ｂが配置され、受容部Ａまたは受容部Ｃの内側と受容部Ｂの内側とが見通せるようになる、ピンチコック。【選択図】図４
2009191875.tif 000002
【特許請求の範囲】
【請求項１】
リング、アーチ若しくはフックからなる受容部Ａとリング、アーチ若しくはフックからなる受容部Ｃとが、両受容部の内側が見通せるように並んで離れて遠位端側に設置された第一腕部と、リング、アーチ若しくはフックからなる受容部Ｂが遠位端側に配置された第二腕部とを有し、第一腕部と第二腕部とが近位端において弾力性を有する繋ぎ部で繋がっていて、第一腕部と第二腕部とは受容部Ａまたは受容部Ｃの内側と受容部Ｂの内側とが見通せない位置に離されていて、第一腕部と第二腕部との間を繋ぎ部の弾性変形によって狭めると受容部Ａと受容部Ｃとの間に受容部Ｂが配置され、受容部Ａまたは受容部Ｃの内側と受容部Ｂの内側とが見通せるようになる、ピンチコック。
【請求項２】
第二腕部はリング、アーチ若しくはフックからなる受容部Ｄをさらに有し、受容部Ｄは受容部Ｄの内側が受容部Ｂの内側を見通せるように受容部Ｂと並んで離れて第二腕部の遠位端側に設置されており、第一腕部と第二腕部との間を繋ぎ部の弾性変形によって狭めると受容部Ｂと受容部Ｄとの間に受容部Ａまたは受容部Ｃが配置され、受容部Ａまたは受容部Ｃの内側と受容部Ｂまたは受容部Ｃの内側とが見通せるようになる、請求項１に記載のピンチコック。
【発明の詳細な説明】
【技術分野】
【０００１】
本発明は、ピンチコックに関する。より詳細には、本発明は、確実にチューブを抑え、チューブを抑える位置が移動しても流体の漏れがないピンチコックに関する。
【背景技術】
【０００２】
ピンチコックとしては、日赤型、ホフマン型、モール型などが知られている。日赤型ピンチコックは図１に示すようなカタカナのコの字状をした基部と、チューブを締め付けるための螺子部とからなる。ホフマン型は図２に示すような２本の棒で連結された２枚のフレーム板と、前記２本の棒が挿通され回転を抑制された１枚の抑え板とからなり、抑え板が螺子で抑え板が上下するようにされている。モール型ピンチコックは、金属線の弾性力を利用したもので、把持部を両側から手で押すと、金属線間が開き、該金属線間にチューブを挿入し、把持部から手を離すと金属線間が閉じチューブを挟むことができる。
しかし、これらのピンチコックは、チューブを抑えている位置が移動したときに、液漏れを生じることがある。
なお、記載すべき先行技術文献情報がないので、特許文献等の記載をしていない。
【発明の開示】
【発明が解決しようとする課題】
【０００３】
本発明の目的は、確実にチューブを抑え、チューブの抑え位置が移動しても流体の漏れがないピンチコックを提供することにある。
【課題を解決するための手段】
【０００４】
本発明者は、前記目的を達成するために鋭意検討した結果、リング、アーチ若しくはフックからなる受容部Ａとリング、アーチ若しくはフックからなる受容部Ｃとが、両受容部の内側が見通せるように並んで離れて遠位端側に設置された第一腕部と、リング、アーチ若しくはフックからなる受容部Ｂが遠位端側に配置された第二腕部とを有し、第一腕部と第二腕部とが近位端において弾力性を有する繋ぎ部で繋がっていて、第一腕部と第二腕部とは受容部Ａまたは受容部Ｃの内側と受容部Ｂの内側とが見通せない位置に離されていて、第一腕部と第二腕部との間を繋ぎ部の弾性変形によって狭めると受容部Ａと受容部Ｃとの間に受容部Ｂが配置され、受容部Ａまたは受容部Ｃの内側と受容部Ｂの内側とが見通せるようになる、ピンチコックを用いると、確実にチューブを抑え、チューブの抑え位置が移動しても流体の漏れがなくなることを見出した。この知見に基づき、さらに検討することによって本発明を完成するに至った。
【０００５】
すなわち、本発明は以下の態様を含む。
（１）  リング、アーチ若しくはフックからなる受容部Ａとリング、アーチ若しくはフックからなる受容部Ｃとが、両受容部の内側が見通せるように並んで離れて遠位端側に設置された第一腕部と、リング、アーチ若しくはフックからなる受容部Ｂが遠位端側に配置された第二腕部とを有し、第一腕部と第二腕部とが近位端において弾力性を有する繋ぎ部で繋がっていて、第一腕部と第二腕部とは受容部Ａまたは受容部Ｃの内側と受容部Ｂの内側とが見通せない位置に離されていて、第一腕部と第二腕部との間を繋ぎ部の弾性変形によって狭めると受容部Ａと受容部Ｃとの間に受容部Ｂが配置され、受容部Ａまたは受容部Ｃの内側と受容部Ｂの内側とが見通せるようになる、ピンチコック。
（２）  第二腕部はリング、アーチ若しくはフックからなる受容部Ｄをさらに有し、受容部Ｄは受容部Ｄの内側が受容部Ｂの内側を見通せるように受容部Ｂと並んで離れて第二腕部の遠位端側に設置されており、第一腕部と第二腕部との間を繋ぎ部の弾性変形によって狭めると受容部Ｂと受容部Ｄとの間に受容部Ａまたは受容部Ｃが配置され、受容部Ａまたは受容部Ｃの内側と受容部Ｂまたは受容部Ｃの内側とが見通せるようになる、前記（１）に記載のピンチコック。
【発明の効果】
【０００６】
本発明のピンチコックは、確実にチューブを抑え、チューブの抑え位置が移動しても流体の漏れがないので、医療、化学などにおいて使用されるチューブ中に流れる流体を止めるのに好適である。また、第一腕部と第二腕部との間隔を調整することによって、流量を微調整することもできる。
【発明を実施するための最良の形態】
【０００７】
本発明のピンチコックの実施形態を、図面に基づいて説明する。なお、本発明はこの実施形態に限定されるものではない。
図４は本発明のピンチコックの一態様を示す図である。図５は図４に示したピンチコックの斜視図である。
ピンチコック１は、第一腕部４と第二腕部３とを有する。両腕部は細い線で示されているが、剛性があり、折り曲げ難い強度を有している。第一腕部４の遠位端側には、リングＡとリングＣとが間隔をあけて設置されている。そして、リングＡの穴とリングＣの穴とが見通せるように並んでいる。第二腕部３の遠位端側には、リングＢが設置されている。繋ぎ部２はねじりコイルばねになっていて、第一腕部４と第二腕部３とは近位端において該繋ぎ部２で繋がっている。ピンチコック１では、繋ぎ部は細い線で示されているが、この細い線は金属線のごとく弾性を有するものである。
【０００８】
第一腕部４と第二腕部３とはリングＡまたはリングＣの穴とリングＢの穴とが見通せない位置に離されていて、第一腕部と第二腕部との間を繋ぎ部の弾性変形によって狭めるとリングＡとリングＣとの間にリングＢが配置され、リングＡまたはリングＣの穴とリングＢの穴とが見通せるようになる。該見通せる状態にしたリングＡ、リングＢ、およびリングＣの穴にチューブ５を挿通し、繋ぎ部の弾性変形を元に戻し第一腕部４と第二腕部３とをリングＡまたはリングＣの穴とリングＢの穴とが見通せない位置に離すと、チューブが図４のごとくＷ字状に屈曲され、チューブ中の流体の流れが止められる。
【０００９】
図６は本発明のピンチコックの別の一態様を示す斜視図である。
ピンチコック１１は、２本の第一腕部１４と、２本の第二腕部１３とを有する。両腕部は２本の細い線で示されているが、剛性があり、折り曲げ難い強度を有している。第一腕部１４の遠位端側には、リング１Ａとアーチ１Ｃとが間隔をあけて設置されている。そして、リング１Ａの穴およびアーチ１Ｃの内側が見通せるように並んでいる。第二腕部１３の遠位端側には、アーチ１Ｂとアーチ１Ｃとが間隔をあけて設置されている。そして、アーチ１Ｂの内側とアーチ１Ｃの内側とが見通せるように並んでいる。繋ぎ部１２は２本の弾力性のある金属線によって腕ばねに構成されている。第一腕部１４と第二腕部１３とは近位端において該繋ぎ部１２で繋がっている。ピンチコック１１では、２本のＵ字型の細い線で示されているが、この細い線は金属線のごとく弾性を有するものである。
【００１０】
第一腕部１４と第二腕部１３とはリング１Ａまたはアーチ１Ｃの内側とアーチ１Ｂまたはアーチ１Ｄの内側とが見通せない位置に離されていて、第一腕部１４と第二腕部１３との間を繋ぎ部１２の弾性変形によって狭めるとリング１Ａとアーチ１Ｃとの間にアーチ１Ｂが配置され且つアーチ１Ｂとアーチ１Ｄとの間にアーチ１Ｃが配置されるようになり、リング１Ａまたはアーチ１Ｃの内側とアーチ１Ｂまたはアーチ１Ｄの内側とが見通せるようになる。該見通せる状態にしたリング１Ａ、アーチ１Ｂ、アーチ１Ｃおよびアーチ１Ｄの内側にチューブを挿通し、第一腕部１４と第二腕部１３とをリング１Ａまたはアーチ１Ｃの内側とアーチ１Ｂまたはアーチ１Ｄの内側とが見通せない位置に離すと、チューブが屈曲され、チューブ中の流体の流れが止められる。
【００１１】
図７は本発明のピンチコックの別の一態様を示す斜視図である。ピンチコック２１では、ピンチコック１におけるリングＡ、リングＢおよびリングＣが、フック２Ａ、フック２Ｂおよびフック２Ｃに置換されたものであり、他の部位はピンチコック１と同じものである。ピンチコック２１のように、受容部にフックを用いた場合には、チューブをフックの内側に掛けるだけで、本発明のピンチコックに容易に取り付けることができるので、チューブ両末端が既に他の場所に繋がっていても、それを外すことなく、本発明のピンチコックで該チューブを抑え、流れを止めることができる。
【００１２】
図面に示したピンチコックでは、受容部としてのリング、アーチまたはフックは、直線を基調とした四角い形状をしているが、その形状に限定されない。例えば、三角形状のものや、曲線を基調とした丸いものなどであってもよい。受容部は第一腕部または第二腕部の遠位端側に設置されていれば、取り付け手段や取り付け位置などは特に制限されない。また、図面に示したピンチコックでは、受容部の数が３個のものと４個のものを示しているが受容部を５個以上有していてもよい。
繋ぎ部は、第一腕部と第二腕部とを繋ぐことができ、弾力によって第一腕部と第二腕部との間隔を変えることができるものであれば、特に制限されない。繋ぎ部としては、例えば、ねじりコイルばね、板ばね、腕ばねなどが挙げられる。繋ぎ部を弾性変形させるときに第一腕部および第二腕部を押さえる場所に手の指先の大きさに合わせた形状のグリップ部を設けてもよい。
【００１３】
本発明のピンチコックの第一腕部および第二腕部を押さえて、第一腕部および第二腕部の間隔を狭めると、リング、アーチまたはフックからなる受容部の内側が見通せるようになる。見通せるように成った受容部の内側にチューブを挿通し、その状態を維持したまま第一腕部および第二腕部の押さえ力を緩めると、第一腕部および第二腕部の間隔が元の位置に広がる。第一腕部および第二腕部の間隔の広がりに従って、チューブを内側に掛けた受容部の間隔が広がり、チューブが両側に引っ張られ、屈曲させられる。屈曲によってチューブの流路が狭まり、流体の流れを止めることができる。従来のピンチコックはチューブを挟むことによって流体の流れを止めていたが、本発明のピンチコックではチューブを折り曲げることによって流体の流れを止めるようになっている。その結果、ピンチコックのチューブを抑えている位置が移動しにくく、液漏れを生じることがほとんどなくなる。
【図面の簡単な説明】
【００１４】
【図１】日赤型ピンチコックを示す図である。
【図２】ホフマン型ピンチコックを示す図である。
【図３】モール型ピンチコックを示す図である。
【図４】本発明のピンチコックの一態様を示す図である。
【図５】図４に示したピンチコックの斜視図である。
【図６】本発明のピンチコックの別の一態様を示す斜視図である。
【図７】本発明のピンチコックの別の一態様を示す斜視図である。
【符号の説明】
【００１５】
１、１１、２１：ピンチコック
２、１２、２２：繋ぎ部
３、１３、２３：第二腕部
４、１４、２４：第一腕部
５：チューブ
Ａ：リングＡ
Ｂ：リングＢ
Ｃ：リングＣ
１Ａ：リングＡ
１Ｂ：アーチＢ
１Ｃ：アーチＣ
１Ｄ：アーチＤ
２Ａ：フックＡ
２Ｂ：フックＢ
２Ｃ：フックＣ
【図１】
2009191875.tif 000003
【図２】
2009191875.tif 000004
【図３】
2009191875.tif 000005
【図４】
2009191875.tif 000006
【図５】
2009191875.tif 000007
【図６】
2009191875.tif 000008
【図７】
2009191875.tif 000009